(57)【要約】【課題】利用者の目的や嗜好に合わせた地図データを提供する。【解決手段】利用者によって特定された出発地から目的地までの経路を含む地図データを地図データベース１２ａから収集し（Ｓ１２０）、利用者の目的や嗜好に合わせた情報をＰＯＩデータベース１２ｂから収集し（Ｓ１２２）、利用者によって特定された出発地から目的地までの経路を含む地図上に顧客の目的や嗜好に合わせた情報を付加した特定地図データを生成する。【選択図】図３（ａ）
2007066290.tif 000002
【特許請求の範囲】
【請求項１】
特定された領域の地図データを地図データベースから収集し、
利用者の地図データの利用目的や嗜好に合わせた情報を付加情報データベースから収集し、
前記利用者の地図データの利用目的や嗜好に合わせた情報の内、前記地図データベースから収集された前記地図データに関連する情報を該地図データに付加して特定地図データを生成することを特徴とする地図データ生成方法。
【請求項２】
前記特定された領域の地図データは、利用者によって特定された出発地から目的地までの経路を含む領域の地図データであることを特徴とする請求項１に記載の地図データ生成方法。
【請求項３】
利用者によって特定された地図データの利用目的や嗜好に合わせた情報を取得し、
取得した前記利用者の地図データの利用目的や嗜好に合わせた情報を前記付加情報データベースから収集することを特徴とする請求項１または２に記載の地図データ生成方法。
【請求項４】
利用者の過去の付加情報利用履歴が記憶された顧客データベースから前記利用者の地図データの利用目的や嗜好に合わせた情報を取得し、
前記顧客データベースから取得した前記利用者の地図データの利用目的や嗜好に合わせた情報に基づいて前記利用者の地図データの利用目的や嗜好に合わせた情報を前記付加情報データベースから収集することを特徴とする請求項１ないし３のいずれか１つに記載の地図データ生成方法。
【請求項５】
利用者を認証するための認証情報を前記特定地図データに付加することを特徴とする請求項１ないし４のいずれか１つに記載の地図データ生成方法。
【請求項６】
前記特定地図データの利用を制限するための有効期限情報を前記特定地図データに付加することを特徴とする請求項１ないし５のいずれか１つに記載の地図データ生成方法。
【請求項７】
前記特定地図データの価格を算出するためのコストテーブルを用いて前記特定地図データの価格を算出し、
算出した前記価格を特定地図データに含ませることを特徴とする請求項１ないし６のいずれか１つに記載の地図データ生成方法。
【請求項８】
前記付加情報データベースには、前記特定地図データにシンボル情報が付加されるとスポンサーによる料金割引が適用されるスポンサー付きシンボル情報が含まれおり、
前記コストテーブルには、前記スポンサー付きシンボル情報を前記特定地図データに付加した場合に前記特定地図データの価格を割り引く割引広告コストが定義されており、
前記コストテーブルに定義された前記割引広告コストに基づいて前記特定地図データに付加された前記スポンサー付きシンボル情報に応じた割引料金を算出し、算出した割引料金を前記特定地図データの価格から割り引くことを特徴とする請求項７に記載の地図データ生成方法。
【請求項９】
特定された領域の地図データを地図データベースから収集する地図データ収集手段と、
利用者の地図データの利用目的や嗜好に合わせた情報を付加情報データベースから収集する付加情報収集手段と、
前記付加情報収集手段によって収集された前記利用者の地図データの利用目的や嗜好に合わせた情報の内、前記地図データ収集手段によって収集された前記地図データに関連する情報を該地図データに付加して特定地図データを生成する特定地図データ生成手段と、を備えたことを特徴とする地図データ生成装置。
【請求項１０】
特定された領域の地図データを地図データベースから収集し、利用者の地図データの利用目的や嗜好に合わせた情報を付加情報データベースから収集し、利用者の地図データの利用目的や嗜好に合わせた情報の内、前記地図データベースから収集された前記地図データに関連する情報を付加して生成された特定地図データが記憶された記憶媒体から前記特定地図データを読み出す地図データ読出手段と、
利用者の地図データの利用目的や嗜好を特定する利用者情報特定手段と、
前記特定地図データから地図データとともに前記利用者の地図データの利用目的や嗜好に合わせた情報を読み出して提供する情報提供手段と、を備えたことを特徴とする情報案内装置。
【請求項１１】
前記特定地図データに付加された前記利用者の地図データの利用目的や嗜好に合わせた情報は、提供される日時を示す時間パラメータを有しており、
前記情報提供手段は、前記時間パラメータによって示されたタイミングで前記利用者の地図データの利用目的や嗜好に合わせた情報を提供することを特徴とする請求項１０に記載の情報案内装置。
【請求項１２】
前記特定地図データに付加された前記利用者の地図データの利用目的や嗜好に合わせた情報は、提供される位置を示す位置パラメータを有しており、
自車の現在位置を検出する現在位置検出手段を備え、
前記情報提供手段は、前記自車の現在位置が前記位置パラメータによって示される位置に存在する場合に、前記利用者の地図データの利用目的や嗜好に合わせた情報を提供することを特徴とする請求項１０または１１に記載の情報案内装置。
【請求項１３】
前記特定地図データに付加された前記利用者の地図データの利用目的や嗜好に合わせた情報は、提供される日時と位置を示す位置時間パラメータを有しており、
前記情報提供手段は、前記自車の現在位置が前記位置時間パラメータによって示される位置に存在し、かつ、前記位置時間パラメータによって示されたタイミングになった場合に、前記利用者の地図データの利用目的や嗜好に合わせた情報を提供することを特徴とする請求項１０ないし１２のいずれか１つに記載の情報案内装置。
【請求項１４】
前記特定地図データには、有効期限を示す情報が含まれており、
現在日時が前記有効期限を超過していないか否かを判定する有効期限判定手段と、
前記有効期限判定手段によって現在日時が前記有効期限を超過していると判定された場合、前記特定地図データの利用をできないように制限する利用制限手段と、を備えたことを特徴とする請求項１０ないし１３のいずれか１つに記載の情報案内装置。
【請求項１５】
前記特定地図データには、利用者を認証するための認証情報が含まれており、
利用者によって入力された情報から求めた認証情報と前記特定地図データに含まれる情報から求めた認証情報に基づいて利用者の認証を実施する認証手段を備え、
前記利用制限手段は、前記認証手段によって正規の利用者であることが認証されない場合、前記特定地図データの利用をできないように制限することを特徴とする請求項１０ないし１４のいずれか１つに記載の情報案内装置。
【請求項１６】
前記特定地図データには、医療機関を示す情報が含まれており、
前記情報提供手段は、前記特定地図データに含まれる前記医療機関を示す情報を提供することを特徴とする請求項１０ないし１５のいずれか１つに記載の情報案内装置。
【請求項１７】
前記特定地図データに含まれる前記利用者の地図データの利用目的や嗜好に合わせた情報には、前記利用者の地図データの利用目的や嗜好に合わせた楽曲の再生を指示するコマンドが関連付けされており、
前記特定地図データに含まれる前記利用者の地図データの利用目的や嗜好に合わせた情報の提供に応じて前記利用者の地図データの利用目的や嗜好に合わせた楽曲の再生を指示するコマンドを楽曲再生手段に発信するコマンド発信手段を備えたことを特徴とする請求項１０ないし１３のいずれか１つに記載の情報案内装置。
【発明の詳細な説明】
【技術分野】
【０００１】
本発明は、情報案内装置で用いられる地図データの生成方法、地図データ生成装置および情報案内装置に関する。
【背景技術】
【０００２】
従来、カーナビゲーション装置等の地図表示機能を備えた装置で用いられる地図は、全国または一部地域をカバーするように構成されており、カーナビメーカ等から提供される。
【０００３】
また、ネットワークを介してサービス提供者コンピュータから利用者コンピュータに地図データを提供する方法として、サービス提供者より配布されるライセンスデータを用いて利用者コンピュータがサービス提供者コンピュータの地図データを利用できるようにするとともに、利用者コンピュータが利用した地図データの利用履歴に応じて利用料金を課金する方法が提案されている（例えば、特許文献１参照）。
【特許文献１】特開２０００−３５７１９１号公報
【発明の開示】
【発明が解決しようとする課題】
【０００４】
しかし、上記したようなナビゲーションメーカやサービス提供者等によって提供される地図データは、多数の利用者が満足するようにＰＯＩ（Ｐｏｉｎｔ  ｏｆ  Ｉｎｔｅｒｅｓｔ：施設情報）情報や案内情報等の情報が含まれるように構成されている。したがって、このような地図データには、利用者が必要としない情報が含まれたり、利用者が必要とする情報が含まれないといった状況が考えられる。
【０００５】
本発明は上記点に鑑みたもので、利用者の地図データの利用目的や嗜好に合わせた地図データを提供することを目的とする。
【課題を解決するための手段】
【０００６】
上記目的を達成するため、本発明では、特定された領域の地図データを地図データベースから収集し、利用者の地図データの利用目的や嗜好に合わせた情報を付加情報データベースから収集し、利用者の地図データの利用目的や嗜好に合わせた情報の内、地図データベースから収集された地図データに関連する情報を該地図データに付加して特定地図データを生成することを特徴としている。
【０００７】
このように、利用者の地図データの利用目的や嗜好に合わせた情報の内、地図データベースから収集された地図データに関連する情報を該地図データに付加して特定地図データを生成し、利用者に提供することができる。ここでいう利用者には、運転者（顧客）だけでなく同乗者も含まれる。
【０００８】
また、本発明では、利用者によって特定された地図データの利用目的や嗜好に合わせた情報を取得することにより、利用者の地図データの利用目的や嗜好に合わせた情報を付加情報データベースから収集することができる。
【０００９】
また、本発明では、利用者によって特定された同乗者に関する情報を取得し、  同乗者の嗜好に合わせた情報を付加情報データベースから収集し、収集した同乗者の嗜好に合わせた情報を地図データに付加して特定地図データを生成することができる。
【００１０】
また、本発明では、利用者の過去の付加情報利用履歴が記憶された顧客データベースから利用者の地図データの利用目的や嗜好に合わせた情報を取得することにより、利用者の地図データの利用目的や嗜好に合わせた情報を付加情報データベースから収集することができる。
【００１１】
また、本発明では、利用者を認証するための認証情報を特定地図データに付加するので、特定地図データを使用できる車両あるいは利用者を限定することができる。
【００１２】
また、本発明では、特定地図データの利用を制限するための有効期限情報を特定地図データに付加するので、特定地図データを使用できる期間を限定することができる。
【００１３】
また、本発明では、特定地図データの価格を算出するためのコストテーブルを用いて特定地図データの価格を算出し、算出した価格を特定地図データに含ませるので、特定地図データで用いられた情報に基づく価格の設定が可能である。
【００１４】
また、本発明では、コストテーブルに定義された割引広告コストに基づいて特定地図データに付加されたスポンサー付きシンボル情報に応じた割引料金を算出し、算出した割引料金を特定地図データの価格から割り引くので、スポンサーはスポンサー付きシンボル情報の表示による宣伝活動を行うことができ、利用者は特定地図データの価格割引の適用を受けることができる。
【００１５】
また、本発明では、特定された領域の地図データを地図データベースから収集する地図データ収集手段と、利用者の地図データの利用目的や嗜好に合わせた情報を付加情報データベースから収集する付加情報収集手段と、付加情報収集手段によって収集された利用者の地図データの利用目的や嗜好に合わせた情報の内、地図データ収集手段によって収集された地図データに関連する情報を該地図データに付加して特定地図データを生成する特定地図データ生成手段と、を備えたことを特徴としている。
【００１６】
このように、利用者の地図データの利用目的や嗜好に合わせた情報の内、地図データベースから収集された地図データに関連する情報を該地図データに付加して特定地図データを生成し、利用者に提供することができる。
【００１７】
また、本発明では、特定された領域の地図データを地図データベースから収集し、利用者の地図データの利用目的や嗜好に合わせた情報を付加情報データベースから収集し、利用者の地図データの利用目的や嗜好に合わせた情報の内、地図データベースから収集された地図データに関連する情報を付加して生成された特定地図データが記憶された記憶媒体から特定地図データを読み出す地図データ読出手段と、利用者の地図データの利用目的や嗜好を特定する利用者情報特定手段と、特定地図データから地図データとともに利用者の地図データの利用目的や嗜好に合わせた情報を読み出して提供する情報提供手段と、を備えたことを特徴としている。
【００１８】
このように、特定地図データから地図データとともに利用者の地図データの利用目的や嗜好に合わせた情報を読み出して提供することができる。ここでいう利用者には、運転者（顧客）だけでなく同乗者も含まれる。
【００１９】
また、本発明では、特定地図データに付加された利用者の地図データの利用目的や嗜好に合わせた情報は、提供される日時を示す時間パラメータを有しており、該時間パラメータによって示されたタイミングで利用者の地図データの利用目的や嗜好に合わせた情報を提供することを特徴としている。
【００２０】
このように、時間パラメータによって示されたタイミングで利用者の地図データの利用目的や嗜好に合わせた情報を提供することができる。
【００２１】
また、本発明では、特定地図データに付加された利用者の地図データの利用目的や嗜好に合わせた情報は、提供される位置を示す位置パラメータを有しており、自車の現在位置が位置パラメータによって示される位置に存在する場合に、利用者の地図データの利用目的や嗜好に合わせた情報を提供することを特徴としている。
【００２２】
このように、自車の現在位置が位置パラメータによって示される位置に存在する場合に、利用者の地図データの利用目的や嗜好に合わせた情報を提供することができる。
【００２３】
また、本発明では、特定地図データに付加された利用者の地図データの利用目的や嗜好に合わせた情報は、提供される日時と位置を示す位置時間パラメータを有しており、情報提供手段は、自車の現在位置が位置時間パラメータによって示される位置に存在し、かつ、位置時間パラメータによって示されたタイミングになった場合に、利用者の地図データの利用目的や嗜好に合わせた情報を提供することを特徴としている。
【００２４】
このように、自車の現在位置が位置時間パラメータによって示される位置に存在し、かつ、位置時間パラメータによって示されたタイミングになった場合に、利用者の地図データの利用目的や嗜好に合わせた情報を提供することができる。
【００２５】
また、本発明では、特定地図データに含まれる有効期限を示す情報に基づいて、現在日時が有効期限を超過していないか否かを判定し、現在日時が有効期限を超過していると判定された場合、特定地図データの利用をできないように制限するので、特定地図データを使用できる期間を限定することができる。
【００２６】
また、本発明では、利用者によって入力された情報から求めた認証情報と特定地図データに含まれる情報から求めた認証情報に基づいて利用者の認証を実施し、正規の利用者であることが認証されない場合、特定地図データの利用をできないように制限するので、特定地図データを使用できる車両あるいは利用者を限定することができる。
【００２７】
また、本発明では、特定地図データに含まれる医療機関を示す情報を提供するので、利用者が病気やけがをした場合でも、医療機関の情報を容易に認識することが可能である。
【００２８】
また、本発明では、特定地図データに含まれる利用者の地図データの利用目的や嗜好に合わせた情報には、利用者の地図データの利用目的や嗜好に合わせた楽曲の再生を指示するコマンドが関連付けされており、特定地図データに含まれる前記利用者の地図データの利用目的や嗜好に合わせた情報の提供に応じて利用者の地図データの利用目的や嗜好に合わせた楽曲の再生を指示するコマンドを楽曲再生手段に発信するコマンド発信手段を備えたことを特徴としている。
【００２９】
このように、利用者の地図データの利用目的や嗜好に合わせた情報に対する操作に応じて利用者の地図データの利用目的や嗜好に合わせた楽曲の再生を指示するコマンドが楽曲再生手段に発信されるので、利用者の地図データの利用目的や嗜好に合わせた楽曲を自動的に再生させることが可能である。
【発明を実施するための最良の形態】
【００３０】
（第１実施形態）
本発明の第１実施形態に係る特定地図供給センタのシステムとナビゲーション装置の構成を図１に示す。特定地図供給センタのシステム１は、ディスク書込装置１０、入力操作部１１、記憶装置１２、通信装置１３および制御装置１４を備えている。
【００３１】
ディスク書込装置１０は、制御装置１４から入力される信号に応じてＣＤまたはＤＶＤ等のディスクメディア３へのデータの書き込みまたはディスクメディア３からのデータの読み出しを行う。
【００３２】
入力操作部１１は、キーボード、マウス等によって構成され、顧客（以下、利用者を顧客と称す）の操作に応じた信号を制御装置１４へ出力する。
【００３３】
記憶装置１２は、ハードディスク等の記憶媒体を有し、制御装置１４から入力される信号に応じて記憶媒体にデータを記憶するとともに、制御装置１４から入力される信号に応じて記憶媒体からデータの読み出しを行う。この記憶装置１２の記憶媒体には、地図データベース１２ａ、ＰＯＩデータベース（付加情報データベース）１２ｂ、顧客データベース１２ｃ、コストテーブル１２ｄ、各種プログラム等が記憶されている。
【００３４】
地図データベース１２ａは、緯度経度座標に従って全国地図を表す地図データがデータベース化されたものである。なお、地図データには、道路情報や地形を示す情報等が含まれる。
【００３５】
ＰＯＩデータベース１２ｂは、宿泊ホテル、レストラン、ショッピングセンター等の各種施設を地図上に表示するためのＰＯＩ情報（シンボル情報）等の付加情報がデータベース化されたものである。ＰＯＩ情報には、例えば、ホテルを示すシンボル、レストランを示すシンボル、ショッピングセンターを示すシンボル等が、地図上の位置を示す位置情報とともに記憶されている。
【００３６】
顧客データベース１２ｃは、顧客毎に、顧客情報、旅行情報、顧客の嗜好情報がデータベース化されたものである。顧客情報は、顧客個人情報、メンバーシップ情報、車両ＩＤ、使用カーナビ機種情報、認証情報等の情報を含み、旅行情報は、顧客の過去の旅行情報（出発地、目的地、経由地、周遊ルート、旅行日程）を含み、顧客の嗜好情報は、顧客の好みの施設（例えば、顧客が過去に利用した宿泊ホテル、好みのレストラン、好みのショッピングセンター）等を含んでいる。
【００３７】
コストテーブル１２ｄは、特定地図データの価格を算出するためのコストが定義されたものであり、図２に示すように、情報コストテーブルＡ、ＰＯＩコストテーブルＢおよびスポンサーＰＯＩコストテーブルＣに分類される。
【００３８】
情報コストテーブルＡは、地図データベース１２ａに記憶された各種情報のコストが定義されたものであり、例えば、地図データの単位面積あたりのコスト、制限速度情報の規制情報等のコストが定義されている。
【００３９】
ＰＯＩコストテーブルＢは、名所、ホテル、レストランなどのＰＯＩ（シンボル）情報のコストが定義されたものである。
【００４０】
スポンサーＰＯＩコストテーブルＣは、後述するスポンサー付きシンボル情報を特定地図データに付加する場合に特定地図データの価格を割り引く割引料金を算出するための割引広告コストが定義されたものである。
【００４１】
なお、情報コストテーブルＡ、ＰＯＩコストテーブルＢ、スポンサーＰＯＩコストテーブルＣに定義されているコストは、各情報の最小単位あるいはグループ化された情報毎に定義されている。
【００４２】
通信装置１３は、公衆回線に接続し、あるいはネットワークを介してインターネットに接続し、外部の通信機器と通信するための装置である。
【００４３】
制御装置１４は、ＣＰＵ、メモリ等を備えたコンピュータによって構成され、記憶装置１２に記憶されたプログラムに従ってディスク書込装置１０、入力操作部１１、記憶装置１２、通信装置１３と各種データの授受を行う。
【００４４】
上記した構成において、特定地図供給センタのシステム１は、ナビゲーション装置２の顧客から特定地図の作成依頼に応じて、この顧客によって特定された出発地から目的地までの経路を含む地図上に顧客の目的や嗜好に合わせた情報を付加した特定地図データを生成するようになっている。
【００４５】
また、顧客は、特定地図データの依頼時に特定地図データの提供方法を指定し、特定のウェブサイトからのダウンロード、ＣＤまたはＤＶＤ等のディスクメディア３の郵送のいずれかの方法で特定地図データを取得する。
【００４６】
ナビゲーション装置２は、ＧＰＳ受信機２０ａ、ジャイロスコープ２０ｂ、車速センサ２０ｃおよび地磁気センサ２０ｄから出力される各種信号に基づいて自車位置の検出を行う位置検出器２０、タッチパネルや押しボタンスイッチ等によって構成される入力操作部２１、外部と通信するための通信装置２２、地図データ２３ａや電話帳データ２３ｂが記憶された記憶装置２３および制御回路２８を備えている。また、制御回路２８から入力される画像信号に応じた画像を表示する表示部２４、制御回路２８から入力される音声信号に応じた音声を出力する音声出力装置２５、制御回路２８から入力される信号に応じて各種データを記憶する外部メモリ２６、リモコンから送信される無線信号を受信して制御回路２８へ送信するリモコンセンサ２７を備えている。
【００４７】
通信装置２２は、外部アンテナ２２ａを有し、この外部アンテナ２２ａを介して公衆回線に接続し、あるいはネットワークを介してインターネットに接続し、特定地図供給センタのシステム１と通信を行う。
【００４８】
また、ナビゲーション装置２は、制御回路２８から入力される信号に応じて、ＣＤまたはＤＶＤ等のメディアディスクに書き込まれたデータを読み出すディスク読取装置（図示せず）を備えている。
【００４９】
制御回路２８は、コンピュータによって構成され、記憶装置２３に記憶されたプログラムに従って位置検出器２０、操作部２１、通信装置２２、記憶装置２３、表示部２４、音声出力装置２５、外部メモリ２６、リモコンセンサ２７およびディスク読取装置と各種データの授受を行う。
【００５０】
ナビゲーション装置２の制御回路２８は、顧客による入力操作部２１の操作に応じて、位置検出器２０によって検出された自車位置と記憶装置２３の地図データ２３ａに基づいて表示部２４の地図上に自車位置マークを表示させる地図表示機能や、出発地から目的地に至る案内経路を探索し、この案内経路に従って経路案内を行う経路案内機能を実行する。
【００５１】
また、制御回路２８は、顧客による入力操作部２１の操作に応じて、インターネットを介して特定地図供給センタのシステム１から提供される特定地図データを記憶装置２３にダウンロードし、この特定地図データを用いて地図表示や経路案内を行う。また、制御回路２８は、ディスク読取装置（図示せず）に特定地図データが書き込まれたディスクメディアが装着されると、このディスクメディアに書き込まれた特定地図データを用いて地図表示や経路案内を行う。
【００５２】
次に、特定地図供給センタのシステム１の作動について説明する。特定地図供給センタのシステム１は、ナビゲーション装置２の顧客から地図データの作成依頼を受け付けると、この顧客の目的や嗜好に合わせた情報を付加した特定地図データを編集し顧客に提供する。なお、本実施形態において、ナビゲーション装置２の顧客からの特定地図データの作成依頼の受け付けは、インターネットのウェブサイト上で行われる。具体的には、顧客がナビゲーション装置２を操作してインターネットに接続し、インターネットの特定のウェブサイトの特定地図データの作成依頼画面に従って顧客情報、旅行情報、顧客の嗜好情報を入力することによって特定地図データの作成依頼を行う。なお、この特定地図データの作成依頼画面に従って入力された各情報は、特定地図供給センタのシステム１に伝達される。
【００５３】
次に、図３（ａ）、（ｂ）を参照して、制御装置１４による特定地図データの生成処理について説明する。制御装置１４は、特定地図データの作成依頼画面に従って入力された各情報が特定地図供給センタのシステム１に伝達されると、図３に示す処理を行う。
【００５４】
まず、顧客の顧客情報を顧客データベース１２ｃに記憶する（Ｓ１００）。なお、顧客情報には、顧客個人情報、メンバーシップ情報、車両ＩＤ、使用カーナビ機種情報、認証情報および特定地図データの供給方法が含まれる。
【００５５】
次に、予め定められた顧客情報の必修条件が全て入力されているか否かに基づいて特定地図の作成対象の条件に合致しているかを判定する（Ｓ１０２）。
【００５６】
ここで、顧客情報の全ての必修条件が入力されていない場合、Ｓ１０２の判定はＮＯとなり、不足条件を特定し（Ｓ１０４）、特定した不足条件を顧客に連絡する。具体的には、ウェブサイトの画面上に不足条件の入力を促す表示を行う（Ｓ１０６）。
【００５７】
また、顧客情報の全ての必修条件が入力されている場合、Ｓ１０２の判定はＹＥＳとなり、次に、顧客情報に含まれる使用カーナビ機種情報に基づいて地図編集フォーマットを特定するとともに顧客情報に含まれる顧客個人情報に基づいて対象顧客を特定し、特定した地図編集フォーマット、対象顧客とともに車両ＩＤを記憶装置１２に登録する（Ｓ１０８）。
【００５８】
次に、顧客の旅行情報を顧客データベース１２ｃに記憶する（Ｓ１１０）。なお、旅行情報には、出発地、目的地、経由地、周遊ルート、旅行日程が含まれる。
【００５９】
次に、顧客の嗜好情報を顧客データベース１２ｃに記憶する（Ｓ１１２）。この顧客の嗜好情報には、宿泊ホテル、レストラン、ショッピングセンター等の施設が含まれる。なお、顧客の嗜好情報は、例えば、系列の宿泊ホテル、レストランチェーン、系列のショッピングセンターのように系列の施設として指定されてもよく、特定の宿泊ホテル、特定のレストラン、特定のショッピングセンターのように特定の施設として指定されていてもよい。また、例えば、レストランの場合、全席禁煙の店であるか、喫煙が可能な店であるかといった情報が指定されていてもよい。
【００６０】
次に、特定地図データの作成に充分な情報が揃っているかを判定する。予め特定地図データの作成に必要な情報が定められており、取得した旅行情報、顧客の嗜好情報から特定地図データの作成に充分な情報が揃っているかを判定する（Ｓ１１４）。
【００６１】
ここで、特定地図データの作成に充分な情報が揃っていない場合、Ｓ１１４の判定はＮＯとなり、次に、不足情報を顧客データベース１２ｃから検索し、顧客データベースに必要情報が揃っているかを判定する（Ｓ１１６）。
【００６２】
ここで、不足情報が顧客データベース１２ｃから検索されない場合、Ｓ１１６の判定はＮＯとなり、顧客に不足情報を請求する。具体的には、ウェブサイトの入力画面上に不足情報の入力を促す表示を行う（Ｓ１１８）。
【００６３】
また、不足情報が顧客データベース１２ｃから検索された場合、Ｓ１１６の判定はＹＥＳとなり、顧客データベース１２ｃから旅行情報、顧客の嗜好情報を取得する。例えば、旅行日程から宿泊することを認識したにも関わらず、顧客の嗜好情報として宿泊ホテルに関する情報が入力されていない場合、過去に利用した宿泊ホテルを顧客データベース１２ｃから検索する（Ｓ１１７）。
【００６４】
次に、旅行情報から特定地図データの作成対象とする領域を特定し、特定した領域の地図データを地図データベース１２ａから収集する。具体的には、特定地図データの作成対象となる領域として、出発地から目的地までの経路を含む所定領域を特定し、特定した領域の地図データを地図データベース１２ａから収集する。この地図データには、特定された領域の道路情報や地形を示す情報等が含まれる（Ｓ１２０）。
【００６５】
次に、顧客の嗜好情報から特定地図データに付加するＰＯＩ情報を特定し、特定したＰＯＩ情報をＰＯＩデータベース１２ｂから収集する（Ｓ１２２）。例えば、系列の宿泊ホテル、レストランチェーン、系列のショッピングセンターのような系列の施設、特定の宿泊ホテル、特定のレストラン、特定のショッピングセンターのような特定の施設等、顧客によって入力された顧客の嗜好情報から特定地図データに付加するＰＯＩ情報を特定し、特定したＰＯＩ情報をＰＯＩデータベース１２ｂから収集する。また、Ｓ１１７において過去に利用した宿泊ホテルが顧客データベース１２ｃから検索されたような場合、検索された宿泊ホテルのＰＯＩ情報をＰＯＩデータベース１２ｂから収集する。
【００６６】
次に、特定地図データの価格を算出するためのコストテーブルを参照して、特定地図データの価格を算出する。具体的には、特定地図データの作成に使用する全ての情報を抽出し、情報コストテーブルとＰＯＩコストテーブルを参照して、特定地図データの作成に使用する全ての情報に掛かるコストを集計し、特定地図データの価格を算出する（Ｓ１２４）。
【００６７】
次に、特定地図データが、特定地図データにＰＯＩ情報が付加されるとスポンサーによる料金割引が適用されるスポンサー付きＰＯＩを含んでいるかを判定する（Ｓ１２６）。
【００６８】
ここで、特定地図データがスポンサー付きＰＯＩを含んでいる場合には、Ｓ１２６の判定はＹＥＳとなり、次に、スポンサーＰＯＩコストテーブルに定義された割引広告コストに基づいて特定地図データの付加されたスポンサー付きＰＯＩに応じた割引料金を算出し、算出した割引料金を特定地図データの価格から差し引き合算する。すなわち、特定地図データの付加されたスポンサー付きＰＯＩに応じた割引料金を算出し、算出した割引料金を特定地図データの価格から割り引く（Ｓ１２８）。
【００６９】
次に、Ｓ１２０において収集した出発地から目的地までの経路を含む地図上にＳ１２２において収集したＰＯＩ情報を付加し、特定地図データを作成する（Ｓ１３０）。
【００７０】
次に、作成した特定地図データが顧客要求項目を網羅しているか否かを判定する。具体的には、作成した特定地図データが、Ｓ１００で取得した顧客情報、Ｓ１１０で取得した旅行情報、Ｓ１１２で取得した顧客の機構情報の各要求項目を満たしているか否かを判定する（Ｓ１３２）。
【００７１】
ここで、不足項目がある場合、Ｓ１１４の処理へ戻る。また、不足項目がない場合、Ｓ１３２の判定はＹＥＳとなり、次に、顧客のメンバーシップ情報、車両ＩＤ、使用カーナビ機種情報から、顧客を認証するための認証情報を生成する。具体的には、顧客のメンバーシップ情報、車両ＩＤ、使用カーナビ機種情報を用いて予め定められた規則に則り認証ＩＤを生成するとともに、この認証ＩＤを用いて予め定められたアルゴリズムに従って演算することによって認証演算結果を生成する。このように、顧客を認証するための認証情報としての認証ＩＤと認証演算結果を生成する（Ｓ１３５）。
【００７２】
次に、記憶装置１２に記憶された顧客情報に基づいて特定地図データの供給方法は通信配信か否かを判定する（Ｓ１３６）。
【００７３】
ここで、特定地図データの供給方法が通信配信の場合、Ｓ１３６でＹＥＳと判定され、次に、作成した特定地図データに認証演算結果を付加したデータを付加し、ウェブサイト上からのダウンロードが可能なデータ形式にデータ変換する（Ｓ１３８）。
【００７４】
次に、Ｓ１３８でデータ変換した情報を顧客によって指定された通信メディアにより発信する。具体的には、データ変換した情報をウェブサイト上にアップロードする（Ｓ１４０）。
【００７５】
次に、特定地図データに認証演算結果を付加して発信した通信メディアと別の通信メディアで認証ＩＤを発信する。具体的には、認証ＩＤを電子メールにより顧客へ送信し（Ｓ１４２）、本処理を終了する。
【００７６】
また、特定地図データの供給方法が通信配信でない場合、Ｓ１３６の判定はＮＯとなり、特定地図データの供給方法はディスクか否かを判定する（Ｓ１４４）。
【００７７】
ここで、特定地図データの供給方法がディスクの場合、Ｓ１４４の判定はＹＥＳとなり、次に、特定地図データに認証演算結果を付加し、ディスク書込装置１０によりＣＤまたはＤＶＤ等のディスクメディアに書き込み（Ｓ１４６）、本処理を終了する。
【００７８】
また、Ｓ１４４において特定地図データの供給方法がディスクでないと判定された場合、顧客に不足情報の再請求を行う。具体的には、ウェブサイトの入力画面上に不足情報の入力を促す表示を行う（Ｓ１５０）。
【００７９】
なお、特定地図データが書き込み込まれたディスクメディアは、顧客が認証ＩＤを認識できるようにして郵送により顧客に届けられる。
【００８０】
上記したように、ナビゲーション装置２の顧客から特定地図データの作成依頼があると、制御装置１４は、この顧客によって特定された出発地から目的地までの経路を含む地図データを地図データベースから収集し、顧客の目的や嗜好に合わせた情報をＰＯＩデータベースから収集し、顧客によって特定された出発地から目的地までの経路を含む地図上に顧客の目的や嗜好に合わせた情報を付加した特定地図データを生成する。
【００８１】
また、ナビゲーション装置２の制御回路２８は、特定地図データが書き込み込まれたディスクメディアがディスク読取装置（図示せず）に装着されると、所定の認証処理を行い、認証処理が完了すると、このディスクメディアに書き込まれた特定地図データを用いて地図表示や経路案内を行うことができるようになっている。
【００８２】
次に、図４を参照して、制御回路２８による認証処理について説明する。まず、特定地図データが書き込み込まれたディスクメディアがディスク読取装置に装着されると、表示部２４に認証ＩＤの入力を促す画面が表示され、顧客の操作に応じて入力操作部２１から認証ＩＤが入力されると、この認証ＩＤを外部メモリ２６に記憶する（Ｓ２００）。
【００８３】
次に、外部メモリ２６に記憶した認証ＩＤを用いて予め定められたアルゴリズムに従って演算することによって認証演算結果を生成し、この認証演算結果とディスクメディアに含まれる認証演算結果を照合することにより認証を実施する。なお、ここで用いられるアルゴリズムは、Ｓ１３４の処理で用いられたものと同じとなっている。具体的には、各認証演算結果が一致する場合には認証が完了したものとして本認証処理を終了し、各認証演算結果が一致しない場合には認証が未完了として本認証処理を終了する（Ｓ２０２）。
【００８４】
ナビゲーション装置２の制御回路２８は、上記した認証処理において認証が完了した場合、ディスクメディアに書き込まれた特定地図データを用いて地図表示や経路案内を行い、認証が未完了の場合、ディスクメディアに書き込まれた特定地図データを用いた地図表示や経路案内を行わない。
【００８５】
上記したように、特定地図供給センタのシステム１は、顧客によって特定された出発地から目的地までの経路を含む地図データを地図データベース１２ａから収集し（Ｓ１２０）、顧客の目的や嗜好に合わせた情報をＰＯＩデータベース１２ｂから収集し（Ｓ１２２）、顧客によって特定された出発地から目的地までの経路を含む地図上に顧客の目的や嗜好に合わせた情報を付加した特定地図データを生成する（Ｓ１３０）。したがって、顧客によって特定された出発地から目的地までの経路を含む地図上に顧客の目的や嗜好に合わせた情報を付加した特定地図データを生成し、顧客の地図データの利用目的や嗜好に合わせた地図データを提供することができる。
【００８６】
なお、顧客の地図データの利用目的に合わせた情報とは、旅行あるいは業務といった顧客の目的に合わせた情報である。また、顧客の嗜好に合わせた情報とは、顧客によって特定された条件を満たす施設のシンボル情報、顧客が過去に利用したことのある特定の施設のシンボル情報、あるいは顧客が過去に利用したことのある施設と同じ系列の施設のシンボル情報である。
【００８７】
また、顧客を認証するための認証情報を特定地図データに付加するので、特定地図データを使用できる車両あるいは顧客を限定することができる。
【００８８】
また、特定地図データの価格を算出するためのコストテーブルを用いて特定地図データの価格を算出し、算出した価格を特定地図データに含ませるので、特定地図データで用いられた情報に基づく価格の設定が可能である。
【００８９】
また、コストテーブルに定義された割引広告コストに基づいて特定地図データに付加されたスポンサー付きシンボル情報に応じた割引料金を算出し、算出した割引料金を特定地図データの価格から割り引くので、スポンサーはスポンサー付きシンボル情報の表示による宣伝活動を行うことができ、顧客は特定地図データの価格割引の適用を受けることができる。
【００９０】
（第２実施形態）
本発明の第２実施形態に係る特定地図供給センタのシステム、ナビゲーション装置およびオーディオ装置の構成を図５に示す。本実施形態におけるナビゲーション装置２は、図１に示した構成と比較して、通信装置２２を介して無線により特定地図供給センタのシステム１と通信する機能の他に、通信装置２２を介してケーブル接続されたオーディオ装置４と通信する機能を備えている。また、オーディオ装置４は、ナビゲーション装置２からの指示に従って楽曲再生等の動作を行うことができるようになっている。
【００９１】
オーディオ装置４は、ラジオ放送局から送信される放送波を受信するラジオ受信機４０、携帯オーディオ端末等の外部機器からの音声データを入力するための外部入力装置４１、顧客による押しボタンスイッチ等の操作キーへの操作に応じた信号を出力するキー入力部４２、入力される画像信号に応じた画像を液晶等の表示画面に表示させる表示部４３、ＣＤ、ＤＶＤ、ＭＤなどのメディアに記憶された音楽データを読み出して再生するオーディオ再生装置４４、ナビゲーション装置２と通信するための通信装置４５、各種データを記憶する記憶装置４６、各種データを記憶する外部メモリ４７、音声信号に応じた音声を出力する音声出力装置４８および制御回路４９を備えている。
【００９２】
記憶装置４６には、音楽データ４６ａ、楽曲索引データ４６ｂ、制御回路４９が実施するプログラム等が記憶されている。なお、楽曲索引データ４６ｂは、音楽データ４６ａの曲名、アーティスト名等を示すデータである。
【００９３】
制御回路４９は、ＣＰＵ、メモリ等を備えたコンピュータによって構成され、このＣＰＵは、記憶装置１２に記憶されたプログラムに従って各種処理を実施する。
【００９４】
上記した構成において、制御回路４９は、顧客のキー入力部４２の操作に応じて、ラジオ受信機４０によって受信したラジオ放送を音声出力装置４８から音声出力させる処理、オーディオ再生装置４４によって再生される音声を出力装置４８から音声出力させる処理、記憶装置１２に記憶された音楽データ４６ａから特定の音楽を出力装置４８から音声出力させる処理等を行う。
【００９５】
また、制御回路４９は、ナビゲーション装置２の制御回路２８から特定の楽曲の再生指示を示すコマンドを受信すると、該楽曲を楽曲索引データ４６ｂから検索し、該当する楽曲が検索された場合、検索された楽曲を音楽データ４６ａから読み出して再生させる機能を備えている。
【００９６】
また、本実施形態における特定地図供給センタのシステム１は、第１実施形態と比較して、ＰＯＩデータベース１２ｂのデータ構造が異なる。本実施形態におけるＰＯＩデータベース１２ｂのデータ構造を図６に示す。ＰＯＩデータベース１２ｂは、常時表示される通常表示ＰＯＩデータＭと位置や時間に連動して表示される連動ＰＯＩデータＮに分類されて登録されている。また、連動ＰＯＩデータＮは、位置連動ＰＯＩデータＮ１、時間連動ＰＯＩデータＮ２、位置時間連動ＰＯＩデータＮ３、音楽連動ＰＯＩデータＮ４に分類されている。
【００９７】
通常表示ＰＯＩデータＭは、宿泊ホテル、レストラン、ショッピングセンター等の各種施設を地図上に表示するためのＰＯＩ情報（シンボル情報）がデータベース化されたものである。ＰＯＩ情報には、例えば、ホテルを示すシンボル、レストランを示すシンボル、ショッピングセンターを示すシンボル等が、地図上の位置を示す位置情報と関連付けて登録されている。通常表示ＰＯＩデータＭのＰＯＩ情報に含まれるシンボルは自車位置や時間と関係なく地図上に常時表示される。
【００９８】
位置連動ＰＯＩデータＮ１は、位置に連動してＰＯＩ情報がデータベース化されたものである。この位置連動ＰＯＩデータＮ１には、旧跡、景観ドライブスポット、救急医療機関等の各種施設を示すＰＯＩ情報がある。このＰＯＩ情報は、各種施設を示すシンボルおよび各種施設に関するエピソードを音声出力するための情報が、地図上の位置を示す位置パラメータと関連付けて登録されている。
【００９９】
時間連動ＰＯＩデータＮ２は、時間に連動して提供されるＰＯＩ情報がデータベース化されたものである。この時間連動ＰＯＩデータＮ２に含まれるＰＯＩ情報には、例えば、夜景スポット等を示すＰＯＩ情報がある。このＰＯＩ情報は、各種施設を示すシンボルおよびこれに関するエピソードを音声出力するための情報が、地図上の位置を示す位置パラメータ、表示時間を示す時間パラメータ等と関連付けて登録されている。
【０１００】
位置時間連動ＰＯＩデータＮ３は、位置と時間に連動して提供されるＰＯＩ情報がデータベース化されたものである。この位置時間連動ＰＯＩデータＮ３には、例えば、桜の名所、紅葉の名所等を示すＰＯＩ情報がある。このＰＯＩ情報は、桜の名所、紅葉の名所等を示すシンボルおよびこれらに関するエピソードを音声出力するための情報が、地図上の位置を示す位置パラメータおよび位置と時間を示す位置時間パラメータ等と関連付けて登録されている。
【０１０１】
音楽連動ＰＯＩデータＮ４は、地図データの利用される状況（位置、時間）に応じて、音楽に関する情報を提供するためのＰＯＩ情報がデータベース化されたものである。
【０１０２】
この音楽連動ＰＯＩデータＮ４には、位置に連動して提供されるＰＯＩ情報（例えば、名所や自車が位置する都市や地方にちなんだ楽曲や作曲家、アーティストについてのシンボルやエピソードを音声出力するための情報を含むＰＯＩ情報）、時間や季節に連動して提供されるＰＯＩ情報（例えば、利用日時や季節にちなんだ楽曲や利用日時を誕生日とする作曲家やアーティストについてのシンボルやエピソード情報を音声出力するための情報を含むＰＯＩ情報）、顧客や同乗者の嗜好ジャンルと連動して提供されるＰＯＩ情報（例えば、顧客や同乗者の嗜好ジャンルに合わせた索引を有し、顧客や同乗者の嗜好ジャンルに合わせた楽曲やアーティストについてのシンボルやエピソードを音声出力するための情報を含むＰＯＩ情報）が含まれる。
【０１０３】
本実施形態におけるナビゲーション装置２は、利用者によるＰＯＩ情報に対する操作に応じて利用者の地図データの利用目的や嗜好に合わせた楽曲の再生を指示するコマンドをオーディオ再生装置４４へ発信し、表示されたＰＯＩ情報と関連する楽曲をオーディオ再生装置４４に再生させることができるようになっている。
【０１０４】
上記音楽連動ＰＯＩデータＮ４に含まれるＰＯＩ情報には、楽曲の再生を指示するコマンドが関連付けされたものが含まれる。
【０１０５】
次に、図７（ａ）、（ｂ）を参照して、本実施形態における制御装置１４による特定地図データの生成処理について説明する。なお、図３（ａ）、（ｂ）に示した第１実施形態における特定地図データの生成処理と同一部分については、同一符号を付して説明を省略し、異なる部分を中心に説明する。
【０１０６】
第１実施形態では、Ｓ１１０において、出発地、目的地、経由地、周遊ルート、旅行日程を含む顧客の旅行情報を顧客データベース１２ｃに記憶する例を示したが、本実施形態では、更に、同乗者の属性（固有の識別情報、年齢など）および旅行種別（地図データの利用目的）を加えた顧客の旅行情報を顧客データベース１２ｃに記憶する。なお、顧客の旅行情報に含まれる同乗者は、例えば、家族、友人、ビジネス関連として顧客データベース１２ｃに記憶される。また、顧客の旅行情報に含まれる旅行種別は、例えば、ビジネス、プライベート、ビジネスとプライベートの両方として顧客データベース１２ｃに記憶される。
【０１０７】
また、第１実施形態では、Ｓ１１２において、宿泊ホテル、レストラン、ショッピングセンター等の施設を含む顧客の嗜好情報を顧客データベース１２ｃに記憶する例を示したが、本実施形態では、上記した宿泊ホテル、レストラン、ショッピングセンター等の施設に、好みの音楽ジャンルを加えた顧客の嗜好情報を顧客データベース１２ｃに記憶する。
【０１０８】
また、第１実施形態では、Ｓ１１０において顧客の旅行情報を顧客データベース１２ｃに記憶し、Ｓ１１２において、顧客の嗜好情報を顧客データベース１２ｃに記憶する例を示したが、本実施形態では、更に、同乗者の嗜好情報を顧客データベース１２ｃに記憶する（Ｓ１１３）。同乗者の嗜好情報は、同乗者毎の、宿泊ホテルの好み、レストランの好み、ショッピングセンターの好み、好みの音楽ジャンル等の情報として記憶される。
【０１０９】
そして、Ｓ１２２において、顧客の旅行情報、顧客の嗜好情報および同乗者の嗜好情報から特定地図データに付加するＰＯＩ情報を特定し、特定したＰＯＩ情報をＰＯＩデータベース１２ｂから収集する。すなわち、顧客によって入力された顧客の嗜好情報から顧客の目的や嗜好に合ったＰＯＩ情報を特定するとともに、顧客によって入力された旅行情報から同乗者を特定し、同乗者の嗜好に合ったＰＯＩ情報を顧客データベース１２ｃから取得して、特定地図データに付加するＰＯＩ情報を特定し、特定したＰＯＩ情報を図６に示したＰＯＩデータベース１２ｂから収集する。
【０１１０】
そして、Ｓ１３０において、Ｓ１２０にて収集した出発地から目的地までの経路を含む地図上にＳ１２２にて収集したＰＯＩ情報を付加し、特定地図データを作成する。例えば、旅行種別毎としてプライベートとビジネスが設定されている場合には、地図上にプライベートに適したＰＯＩ情報とビジネスに適したＰＯＩ情報を分類して付加する。
【０１１１】
このようにして、顧客によって特定された出発地から目的地までの経路を含む地図上に、顧客の地図データの利用目的や嗜好に合わせたＰＯＩ情報および同乗者の嗜好に合わせたＰＯＩ情報が付加された特定地図データが生成される。
【０１１２】
顧客は、このようにして生成された特定地図データが書き込み込まれたディスクメディアをナビゲーション装置２のディスク読取装置（図示せず）に装着して、ナビゲーション装置２による走行案内を実現することが可能となる。
【０１１３】
第１実施形態において、ナビゲーション装置２は、図４に示した認証処理を実施して、走行案内を実施する例を示したが、本実施形態におけるナビゲーション装置２は、図４に示した認証処理に代えて、図８に示すイニシャライズ処理を実施して走行案内を実施する。
【０１１４】
次に、このイニシャライズ処理について説明する。ナビゲーション装置２の制御回路２８は、特定地図データが書き込み込まれたディスクメディアがディスク読取装置に装着されると、表示部２４に認証ＩＤの入力を促す画面を表示させ、顧客の操作に応じて入力操作部２１から認証ＩＤが入力されると、この認証ＩＤを外部メモリ２６に記憶する（Ｓ２００）。
【０１１５】
次に、外部メモリ２６に記憶した認証ＩＤを用いて予め定められたアルゴリズムに従って演算することによって認証演算結果を生成し、この認証演算結果とディスクメディアに含まれる認証演算結果を照合することにより認証を実施する（Ｓ２０２）。
【０１１６】
次に、認証演算結果は合格か否かを判定する（Ｓ２０４）。すなわち、Ｓ２０２にて外部メモリ２６に記憶した認証ＩＤを用いて演算した認証演算結果とディスクメディアに含まれる認証演算結果が一致するか否かに基づいて正規の利用者であるか否かを判定する。
【０１１７】
ここで、認証演算結果が一致した場合、Ｓ２０４の判定はＹＥＳとなり、次に、有効期限を超過していないか否かを判定する（Ｓ２０８）。本実施形態では、特定地図データに含まれる旅行情報の旅行日程の終了時が有効期限として設定されており、現在日時が旅行日程の終了時刻を超えていないか否かに基づいて有効期限を超過していないか否かを判定する。なお、現在時刻の管理は、ＧＰＳ受信機２０ａによって受信されるＧＰＳ衛星から送信される信号に含まれる時刻情報を用いてもよく、また、特定地図供給センタ１から取得した時刻情報を用いてもよい。
【０１１８】
現在日時が旅行日程の終了時刻を超過していない場合、Ｓ２０８の判定はＹＥＳとなり、次に、顧客に旅行情報の入力要求を行う（Ｓ２１０）。具体的には、ナビゲーション装置２の表示部２４に、旅行情報（目的地、経由地、旅行種別、同乗者）の入力を促す画面を表示させる。
【０１１９】
次に、旅行情報の入力条件に対応する情報が特定地図データに存在するか否かを判定する（Ｓ２１２）。具体的には、顧客によって入力された旅行情報に対応する情報が特定地図データに存在するか否かを判定する。
【０１２０】
例えば、顧客によって入力された目的地が特定地図データのエリア外に存在する場合等、顧客によって入力された旅行情報に対応する情報が特定地図データに存在しない場合、Ｓ２１２の判定はＮＯとなり、次に、入力条件の一部または全部が特定地図データの存在しないことを報知する（Ｓ２１４）。具体的には、入力条件の一部または全部が特定地図データの存在しないことを示すメッセージを表示部２４に表示させるとともに音声出力装置２５から音声出力させる。
【０１２１】
また、顧客によって入力された旅行情報に対応する情報が特定地図データに存在する場合、Ｓ２１２の判定はＹＥＳとなり、本処理を終了する。
【０１２２】
また、Ｓ２０４にて認証演算結果が一致しない場合、あるいは、Ｓ２０８にて有効期限を超過していると判定された場合、認証エラーあるいは有効期限エラーであることを報知するとともに、認証エラーあるいは有効期限エラーであることを示す情報をメモリに記憶して特定地図データを使用できないように制限し、後述する走行案内中のＰＯＩ情報の提供処理へ進まないようにして本処理を終了する。
【０１２３】
本実施形態におけるナビゲーション装置２は、上記したイニシャライズ処理によって、認証演算結果が合格であると判定され、かつ、現在日時が有効期限を超過していないと判定された場合、図９に示す走行案内中のＰＯＩ情報の提供処理を行う。なお、この走行案内中のＰＯＩ情報の提供処理は、経路探索処理によって目的地までの案内経路が設定されていても、案内経路が設定されていなくても実施される。
【０１２４】
まず、Ｓ３００では、現在位置の近傍に特定地図データに付加されたＰＯＩ情報が存在するか否かを判定する。具体的には、現在位置を基準とする所定範囲内（例えば、半径２キロメートル以内）に特定地図データに付加されたＰＯＩ情報が存在するか否かを判定する。
【０１２５】
また、Ｓ３１０では、現在の日時や季節と合致する時間パラメータを有するＰＯＩ情報が、特定地図データに付加されているか否かを判定する。具体的には、現在の日時や季節とＰＯＩ情報に関連付けられた時間パラメータを比較して現在の日時や季節と合致する時間パラメータを有するＰＯＩ情報が、特定地図データに付加されているか否かを判定する。
【０１２６】
また、Ｓ３０２では、顧客または同乗者の嗜好情報に合ったＰＯＩ情報か否かを判定する。具体的には、Ｓ３００にて現在位置を基準とする所定範囲内に存在すると判定されたＰＯＩ情報が顧客または同乗者の嗜好情報に合ったＰＯＩ情報か否かを判定する。
【０１２７】
したがって、例えば、顧客または同乗者の嗜好情報に合ったＰＯＩ情報として特定地図データに位置連動ＰＯＩデータＮ１から収集されたＰＯＩ情報が付加されており、自車位置が位置連動ＰＯＩデータＮ１から収集されたＰＯＩ情報の位置パラメータに示される位置に存在する場合、Ｓ３００の判定はＹＥＳとなり、Ｓ３０２の判定はＹＥＳとなり、次に、ＰＯＩ情報の提供を行う（Ｓ３０４）。
【０１２８】
具体的には、ＰＯＩ情報に含まれるシンボルを表示部２４の地図上にポップアップ表示させるとともに、ＰＯＩ情報に含まれるエピソードを音声出力するための情報を音声出力装置２５から音声出力させる。
【０１２９】
このようにして、例えば、自車の現在位置が顧客または同乗者の嗜好情報に合った旧跡や景観ドライブスポット等の近傍に位置すると、図１０に示すように、顧客または同乗者の嗜好情報に合った旧跡や景観ドライブスポット等のシンボルが表示部２４の地図上にポップアップ表示され、旧跡、景観ドライブスポット等に関するエピソードが音声出力装置２５から音声告知される。また、自車の現在位置が顧客または同乗者の嗜好情報に合った旧跡や景観ドライブスポット等の近傍から外れると、表示されていた施設のシンボルは非表示となる。
【０１３０】
また、例えば、顧客または同乗者の嗜好情報に合ったＰＯＩ情報として特定地図データに時間連動ＰＯＩデータＮ２から収集されたＰＯＩ情報が付加されており、現在日時が時間連動ＰＯＩデータＮ２から収集されたＰＯＩ情報の時間パラメータに示された日時や季節である場合、Ｓ３００の判定はＮＯとなり、Ｓ３１０の判定はＹＥＳとなり、Ｓ３０２の判定はＹＥＳとなり、次に、ＰＯＩ情報の提供を行う（Ｓ３０４）。
【０１３１】
具体的には、ＰＯＩ情報に含まれるシンボルを表示部２４の地図上にポップアップ表示させるとともに、ＰＯＩ情報に含まれるエピソードを音声出力するための情報を音声出力装置２５から音声出力させる。
【０１３２】
このようにして、例えば、夕方になると夜景スポット等を示すシンボルが表示部２４の地図上にポップアップ表示され、夜景スポット等に関するエピソードが音声出力装置２５から音声出力される。また、現在の日時や季節が、ＰＯＩ情報の時間パラメータと合致しなくなると、表示されていた施設のシンボルは非表示となる。
【０１３３】
更に、次のＳ３０６では、現在位置を含む所定範囲内に存在するＰＯＩ情報が、オーディオ再生装置４４に再生させる楽曲を示す情報が関連付けされたＰＯＩ情報か否かを判定する。
【０１３４】
ＰＯＩ情報にオーディオ再生装置４４に再生させる楽曲を示す情報が関連付けされていない場合、Ｓ３０６の判定はＮＯとなり、Ｓ３００へ戻る。
【０１３５】
また、ＰＯＩ情報にオーディオ再生装置４４に再生させる楽曲を示す情報が関連付けされている場合、Ｓ３０６の判定はＹＥＳとなり、次に、ＰＯＩ情報と関連する楽曲の再生を指示するためのコマンドをオーディオ装置４４へ発信する（Ｓ３０８）。具体的には、利用者によるＰＯＩ情報に対する操作に応じて該ＰＯＩ情報に関連付けられた楽曲の再生を指示するためのコマンドをオーディオ装置４４へ発信し、Ｓ３００へ戻る。
【０１３６】
オーディオ装置４４の制御回路４９は、このコマンドを受信すると、該楽曲を楽曲索引データ４６ｂから検索し、該当する楽曲が検索された場合、検索された楽曲を音楽データ４６ａから読み出して再生させる。
【０１３７】
なお、Ｓ３０２において顧客または同乗者の嗜好情報に合ったＰＯＩ情報でないと判定された場合には、ＰＯＩ情報の提供を実施することなく、Ｓ３００へ戻る。
【０１３８】
また、特定地図データに通常表示ＰＯＩデータＭから収集して付加されたＰＯＩ情報は、自車の現在位置や現在日時、季節と関係なく常時表示される。
【０１３９】
上記した構成によれば、利用者の地図データの利用目的や嗜好に合わせたＰＯＩ情報に付加された時間パラメータによって示されたタイミングで、利用者の地図データの利用目的や嗜好に合わせた情報が提供されるので、タイミングよく利用者の地図データの利用目的や嗜好に合わせた情報を提供することが可能である。
【０１４０】
また、利用者の地図データの利用目的や嗜好に合わせたＰＯＩ情報に付加された位置パラメータによって示される場所に自車が位置したときに、利用者の地図データの利用目的や嗜好に合わせた情報が提供されるので、タイミングよくＰＯＩ情報を提供することが可能である。
【０１４１】
また、自車の現在位置が位置時間パラメータによって示される位置に存在し、かつ、位置時間パラメータによって示されたタイミングになった場合に、利用者の地図データの利用目的や嗜好に合わせた情報が提供されるので、タイミングよくＰＯＩ情報を提供することが可能である。
【０１４２】
また、特定地図データの利用を制限するための有効期限情報が特定地図データに付加されているので、特定地図データを使用できる期間を限定することができる。また、特定地図データを使用できる期間を限定して、特定地図データの価格を下げることにより、利用者の負担を軽減することが可能である。
【０１４３】
また、特定地図データに含まれる医療機関を示す情報を提供するので、利用者が病気やけがをした場合でも、医療機関の情報を容易に認識することが可能である。
【０１４４】
また、利用者の地図データの利用目的や嗜好に合わせた情報に対する操作に応じて利用者の地図データの利用目的や嗜好に合わせた楽曲の再生を指示するコマンドがオーディオ装置４に発信されるので、利用者の地図データの利用目的や嗜好に合わせた楽曲を自動的に再生させることが可能である。
【０１４５】
（その他の実施形態）
上記実施形態では、ナビゲーション装置を情報案内装置として利用した例を示したが、ナビゲーション装置に限定されるものではなく、例えば、携帯端末（ＰＤＡ）を情報案内装置として利用する場合に適用してもよい。
【０１４６】
また、上記実施形態では、顧客がナビゲーション装置２を操作してインターネットに接続し、インターネットのウェブサイト上で顧客情報、旅行情報、顧客の嗜好情報を入力する例を示したが、例えば、自宅のパーソナルコンピュータからインターネットに接続し、インターネットのウェブサイト上で顧客情報、旅行情報、顧客の嗜好情報を入力するようにしてもよい。
【０１４７】
また、上記実施形態では、利用者によって特定された出発地から目的地までの経路を含む領域の地図データに、利用者の地図データの利用目的や嗜好に合わせたＰＯＩ情報を付加して特定地図データを生成する例を示したが、利用者によって特定された出発地から目的地までの経路を含む領域の地図データに限定されるものではなく、例えば、予め定められた特定領域の地図データとしてもよい。
【０１４８】
また、上記実施形態では、顧客の目的や嗜好に合わせたＰＯＩ情報をシンボルデータベースから収集し、顧客によって特定された出発地から目的地までの経路を含む地図上に顧客の目的や嗜好に合わせたＰＯＩ情報を付加した特定地図データを生成する例を示したが、ＰＯＩ情報に限定されるものではなく、例えば、観光案内等を文字情報として付加してもよい。この場合、ＰＯＩデータベース１２ｂに観光案内等を記憶しておけばよい。
【０１４９】
また、上記実施形態では、ナビゲーション装置２の顧客からの特定地図データの作成依頼をインターネットのウェブサイト上で受け付ける例を示したが、例えば、電子メールや郵送で特定地図データの作成依頼を受けるようにしてもよい。
【０１５０】
また、上記実施形態では、特定のウェブサイトからのダウンロード、ＣＤまたはＤＶＤ等のディスクメディア３の郵送のいずれかの方法で特定地図データを提供する例を示したが、例えば、電子メールの添付ファイルとして送信してもよく、また、特定地図データをＲＯＭに書き込み、このＲＯＭを郵送するようにしてもよい。
【０１５１】
また、上記実施形態では、Ｓ１１４において特定地図データの作成に充分な情報が揃っているか否かを判定し、特定地図データの作成に充分な情報が揃っていないと判定した場合、Ｓ１１７において顧客の嗜好情報を顧客データベース１２ｃから検索して取得する例を示したが、Ｓ１１４の判定を行うことなく、顧客の嗜好情報を顧客データベース１２ｃから取得して特定地図データを作成してもよい。
【０１５２】
また、上記実施形態では、顧客の個人的な旅行を目的として特定地図データを作成して提供する例を示したが、商用車の運行管理等の業務目的に特化した特定地図データを生成して提供することもできる。例えば、全国でトラックの配送サービスを行っている宅配サービス業者に対し、この宅配サービス業者からの目的や要求に合わせて、センタの各拠点の情報やトラックの運用のための必要な情報を付加した特定地図データを生成して提供することもできる。
【０１５３】
また、上記実施形態では、Ｓ１３４において顧客情報に含まれる顧客のメンバーシップ情報、車両ＩＤ、使用カーナビ機種情報から認証ＩＤを生成した例を示したが、例えば、特定地図供給センタのシステム１の制御装置１４の内部で認証ＩＤを生成してもよい。
【０１５４】
また、上記実施形態では、利用者に乗員の構成の入力を促して同乗者を特定する例を示したが、例えば、同乗者の所有する携帯機器（例えば、携帯電話）との近距離無線通信により取得して同乗者を特定してもよい。
【０１５５】
また、上記実施形態では、図９に示した処理において、位置連動ＰＯＩデータＮ１から収集されたＰＯＩ情報を提供する場合、時間連動ＰＯＩデータＮ２から収集されたＰＯＩ情報を提供する場合、音楽関連ＰＯＩデータＮ４から収集されたＰＯＩ情報を提供する場合について示したが、位置時間連動ＰＯＩデータＮ３から収集されたＰＯＩ情報を提供することもできる。すなわち、特定地図データに利用者の地図データの利用目的や嗜好に合わせた情報として位置時間連動ＰＯＩデータＮ３から収集されたＰＯＩ情報が付加されており、自車の現在位置が位置時間連動ＰＯＩデータＮ３から収集されたＰＯＩ情報の位置時間パラメータによって示される位置に存在し、かつ、位置時間パラメータによって示されるタイミングになった場合に、利用者の地図データの利用目的や嗜好に合わせたＰＯＩ情報を提供するようにしてもよい。例えば、特定地図データに位置時間連動ＰＯＩデータＮ３から桜の名所を示すＰＯＩ情報の位置時間パラメータとして「春」を設定しておき、地図データを利用する季節が春で、かつ、桜の名所の近傍に自車が位置したときに限って、桜の名所を示すＰＯＩ情報を提供するといったことが可能である。
【０１５６】
また、上記実施形態では、Ｓ３０２において、顧客または同乗者の嗜好情報に合ったＰＯＩ情報であると判定された場合に、ＰＯＩ情報を提供する例を示したが、顧客または同乗者の嗜好情報に合ったＰＯＩ情報でないと判定された場合であっても、ＰＯＩ情報を提供するようにしてもよい。例えば、顧客または同乗者の属性（年齢）に適した救急医療機関、小児科、主要な病院等の医療機関のＰＯＩ情報を提供するようにしてもよく、また、顧客または同乗者の属性（年齢）と関係なく医療機関のＰＯＩ情報を提供するようにしてもよい。この場合、医療機関のシンボルを常時表示させてもよく、また、自車の現在位置が救急医療機関の近傍に位置したときにポップアップ表示させてもよい。
【０１５７】
また、上記実施形態では、Ｓ３０４において、乗員（利用者および同乗者）の嗜好に合ったＰＯＩ情報を提供する例を示したが、例えば、利用者の地図データの利用目的に応じて提供するＰＯＩ情報を異ならせてもよい。例えば、地図データの利用目的がプライベートの場合には、テーマパーク等のプライベート旅行に適したＰＯＩ情報を提供し、地図データの利用目的がビジネスの場合には、地域の有名企業等、ビジネスに関するＰＯＩ情報等を提供するようにしてもよい。
【０１５８】
また、本実施形態では、特定地図データに含まれる旅行情報の旅行日程の終了時が有効期限として設定された例を示したが、有効期限としては旅行情報の旅行日程の終了時に限定されるものではなく、例えば、有効期限を一定期間として設定してもよい。
【０１５９】
また、上記実施形態では、Ｓ３０８にて、利用者によるＰＯＩ情報に対する操作に応じて該ＰＯＩ情報に関連付けられた楽曲の再生を指示するためのコマンドをオーディオ装置４４へ発信する例を示したが、例えば、ＰＯＩ情報を提供するタイミングに合わせて自動的にＰＯＩ情報に関連付けられた楽曲の再生を指示するためのコマンドを発信するようにしてもよい。
【０１６０】
なお、上記実施形態における構成と特許請求の範囲の構成との対応関係について説明すると、Ｓ１２０の処理が地図データ収集手段に相当し、Ｓ１２２の処理が付加情報収集手段に相当し、Ｓ１３０の処理が特定地図データ生成手段に相当し、ナビゲーション装置２のディスク読取装置が地図データ読出手段に相当し、Ｓ２１０が利用者情報特定手段に相当し、Ｓ３００、Ｓ３１０、Ｓ３０２、Ｓ３０４が情報提供手段に相当し、位置検出器２０が現在位置検出手段に相当し、Ｓ２０８が有効期限判定手段に相当し、Ｓ２０２が認証手段に相当し、Ｓ２０６が利用制限手段に相当し、Ｓ３０８がコマンド発信手段に相当し、オーディオ装置４が楽曲再生手段に相当する。
【図面の簡単な説明】
【０１６１】
【図１】本発明の第１実施形態に係る特定地図供給センタのシステムとナビゲーション装置の構成を示す図である。
【図２】コストテーブルの構成を示す図である。
【図３（ａ）】第１実施形態に係る特定地図供給センタのシステムの制御装置による地図データの生成処理を示す図である。
【図３（ｂ）】第１実施形態に係る特定地図供給センタのシステムの制御装置による地図データの生成処理を示す図である。
【図４】ナビゲーション装置の認証処理を示す図である。
【図５】本発明の第２実施形態に係る特定地図供給センタのシステム、ナビゲーション装置およびオーディオ装置の構成を示す図である。
【図６】第２実施形態におけるＰＯＩデータベースのデータ構造を示す図である。
【図７（ａ）】第１実施形態に係る特定地図供給センタのシステムの制御装置による地図データの生成処理を示す図である。
【図７（ｂ）】第１実施形態に係る特定地図供給センタのシステムの制御装置による地図データの生成処理を示す図である。
【図８】ナビゲーション装置のイニシャライズ処理を示すフローチャートである。
【図９】ナビゲーション装置の走行案内中のＰＯＩ情報の提供処理を示すフローチャートである。
【図１０】ナビゲーション装置のＰＯＩ情報の表示例を示す図である。
【符号の説明】
【０１６２】
１…特定地図供給センタのシステム、１０…ディスク書込装置、１１…入力操作部、
１２…記憶装置、１２ａ…地図データベース、１２ｂ…ＰＯＩデータベース、
１２ｃ…顧客データベース、１２ｄ…コストテーブル、１３…通信装置、
１４…制御回路、２…ナビゲーション装置、２０ａ…ＧＰＳ受信機、
２０ｂ…ジャイロスコープ、２０ｃ…車速センサ、２０ｄ…地磁気センサ、
２０…位置検出器、２１…入力操作部、２２…通信装置、２３…記憶装置、
２４…表示部、２５…音声出力装置、２６…外部メモリ、２７…リモコンセンサ、
２８…制御回路、３…ディスクメディア、４…ナビゲーション装置、
４０…ラジオ受信機、４１…外部入力装置、４２…キー入力部、４３…表示部、
４４…オーディオ再生装置、４５…通信装置、４６…記憶装置、４７…外部メモリ、
４８…音声出力装置、４９…制御回路。 
【図１】
2007066290.tif 000003
【図２】
2007066290.tif 000004
【図３（ａ）】
2007066290.tif 000005
【図３（ｂ）】
2007066290.tif 000006
【図４】
2007066290.tif 000007
【図５】
2007066290.tif 000008
【図６】
2007066290.tif 000009
【図７（ａ）】
2007066290.tif 000010
【図７（ｂ）】
2007066290.tif 000011
【図８】
2007066290.tif 000012
【図９】
2007066290.tif 000013
【図１０】
2007066290.tif 000014